(57)【特許請求の範囲】
【請求項１】
リーダに設けられたガイドパイプに沿って作業装置を案内するガイドローラを有するガイドローラ支持フレームを、ガイドローラ取付フレームに設けたボルトに着脱可能に取り付ける杭打機のガイドローラ支持フレーム取付構造において、前記ガイドローラ支持フレームの内端側と外端側に、前記ボルトの挿通孔を形成したブラケットをそれぞれ設け、両ブラケットのボルト挿通孔間に前記ボルト外周に遊嵌されるパイプ部材を固設し、前記ボルトをその先端のナット螺着部が前記外端側ブラケットのボルト挿通孔より突出する長さとし、前記ガイドローラ支持フレームを前記ボルトの軸線方向にスライド可能に設けたことを特徴とする杭打機のガイドローラ支持フレーム取付構造。
【発明の詳細な説明】
【０００１】
【発明の属する技術分野】
本発明は、杭打機等の基礎工事用の作業装置をリーダに設けられたガイドパイプに沿って案内するために、作業装置に取り付けられてガイドパイプを転動するガイドローラの支持フレーム取付構造に関する。
【０００２】
【従来の技術】
この種の機械では、図４及び図５に示されるように、リーダ１の上部から吊り下げられたハンマーやオーガ等の作業装置２をリーダ１に沿って上下に案内するために、リーダ１に設けられたガイドパイプ３に係合して転動するガイドローラ４を有するガイドローラ支持フレーム５を、作業装置２のガイドローラ取付フレーム６にボルト７にて着脱可能に取り付けている。
【０００３】
作業装置２をガイドパイプ３に装着するため、ガイドローラ４をガイドパイプ３に係合させる際には、ガイドローラ取付フレーム６から取り外したガイドローラ支持フレーム５のガイドローラ４をガイドパイプ３にセットしてから、再びガイドローラ支持フレーム５をガイドローラ取付フレーム６にボルト７にて取り付けていた。
【０００４】
【発明が解決しようとする課題】
ところが、ガイドローラ支持フレームは重量があり、クレーン等で持ち上げてセットするしかなく、作業者に大きな負担となっていた。また、ガイドローラ支持フレームの内端側のブラケットにボルトを挿通してナットで螺着しているので、ボルトの位置が奥まったところになり、ガイドローラ支持フレームを着脱する際のナットの締め緩め作業が非常にやりにくい。
【０００５】
そこで本発明は、ガイドローラ支持フレームをガイドローラ取付フレームの側面にスライド可能に支持して、ガイドローラ支持フレームの着脱作業の容易化と作業能率の向上を図った杭打機のガイドローラ支持フレーム取付構造を提供することを目的としている。
【０００６】
【課題を解決するための手段】
上記した目的を達成するため、本発明は、リーダに設けられたガイドパイプに沿って作業装置を案内するガイドローラを有するガイドローラ支持フレームを、ガイドローラ取付フレームに設けたボルトに着脱可能に取り付ける杭打機のガイドローラ支持フレーム取付構造において、前記ガイドローラ支持フレームの内端側と外端側に、前記ボルトの挿通孔を形成したブラケットをそれぞれ設け、両ブラケットのボルト挿通孔間に前記ボルト外周に遊嵌されるパイプ部材を固設し、前記ボルトをその先端のナット螺着部が前記外端側ブラケットのボルト挿通孔より突出する長さとし、前記ガイドローラ支持フレームを前記ボルトの軸線方向にスライド可能に設けたことを特徴としている。
【０００７】
【発明の実施の形態】
以下、本発明を、図１乃至図３に示す実施形態例に基づいて、さらに詳細に説明する。なお、前記従来例と同一要素には同一符号を付して説明する。リーダ１のガイドパイプ３に係合して転動するガイドローラ４を有するガイドローラ支持フレーム５は、本実施形態例では、４本のボルト７にて作業装置２背面のガイドローラ取付フレーム６に着脱可能に取り付けられている。
【０００８】
前記ガイドローラ支持フレーム５には、内端側と外端側にそれぞれブラケット１０が設けられ、両ブラケット１０には、前記４本のボルト７に対応する４個のボルト挿通孔１０ａがそれぞれ形成されている。前記ボルト７は、先端のナット１１が螺着される螺着部７ａがガイドローラ支持フレーム５の外端側ブラケット１０のボルト挿通孔１０ａから突出する長さを有し、軸部外周にカラー１２を外嵌し、ガイドローラ取付フレーム６にネジ止めされた抜け止め金具１３を頭部外側に当接して抜け止め固定されている。前記両ブラケット１０，１０のボルト挿通孔１０ａ，１０ａ間には、ボルト７のカラー１２の外周に遊嵌されるパイプ部材１４が固設されている。
【０００９】
この構成により、作業装置２をガイドパイプ３から取り外すために、ガイドローラ支持フレーム５をガイドローラ取付フレーム６から取り外す際には、４本のボルト７のナット１１を緩めて取り外し、ガイドローラ支持フレーム５をボルト７の軸線方向に沿って外側にスライドさせることにより、ガイドローラ４とガイドパイプ３の係合が解除され、作業装置２をガイドパイプ３から取り外すことができる。また、作業装置２をガイドパイプ３に装着する際には、ガイドローラ支持フレーム５をボルト７の軸線方向に沿って内側にスライドさせ、ガイドローラ４をガイドパイプ３にセットして、各ナット１１を締めて、ガイドローラ支持フレーム５をガイドローラ取付フレーム６に取り付ける。
【００１０】
したがって、クレーン等を使用せずにガイドローラ支持フレーム５の着脱作業ができ、ガイドローラ支持フレーム５の落下等の不安がない。また、ガイドローラ支持フレーム５の外端側ブラケット１０の外側でナット１１を締め緩めするから、ガイドローラ支持フレームを着脱する際のナットの締め緩め作業が容易で、ガイドローラ支持フレーム５の着脱作業の容易化と能率の向上を図れる。さらに、カラー１２とパイプ部材１４との間に、グリース等の潤滑剤を塗布することにより、比較的小さな力でスムースにスライドすることができる。
【００１１】
【発明の効果】
以上説明したように、本発明の杭打機のガイドローラ支持フレーム取付構造は、ガイドローラ取付フレームのボルトに着脱可能に取り付けられるガイドローラ支持フレームの内端側と外端側に、ボルト挿通孔を形成したブラケットをそれぞれ設け、両ブラケットのボルト挿通孔間にボルト外周に遊嵌されるパイプ部材を固設し、ボルトの長さを、外端側ブラケットのボルト挿通孔より先端のナット螺着部が突出する長さとし、ガイドローラ支持フレームをボルトの軸線方向にスライド可能に設けたので、作業装置をガイドパイプから取り外す際には、ガイドローラ支持フレームをボルトの軸線方向に沿って外側にスライドさせることにより、ガイドローラとガイドパイプの係合が解除され、作業装置をガイドパイプから取り外すことができる。また、作業装置をガイドパイプに装着する際には、ガイドローラ支持フレームをボルトの軸線方向に沿って内側にスライドさせ、ガイドローラをガイドパイプにセットして、ガイドローラ支持フレームをガイドローラ取付フレームに取り付けることができるから、クレーン等を使用せずにガイドローラ支持フレームの着脱作業ができ、ガイドローラ支持フレームの落下等の不安がない。また、ガイドローラ支持フレームの外端側ブラケットの外側で、ボルトの先端にナットを締め緩めするから、ガイドローラ支持フレームを着脱する際のナットの締め緩め作業が容易で、ガイドローラ支持フレームの着脱作業の容易化と能率の向上を図れる。
【図面の簡単な説明】
【図１】  図２のＩ−Ｉ断面図である。
【図２】  本発明のガイドローラ支持フレーム取付構造の一実施形態例を示す側面図である。
【図３】  図２のＩＩＩ−ＩＩＩ断面図である。
【図４】  従来のガイドローラ支持フレーム取付構造を示す側面図である。
【図５】  図４のＶ−Ｖ断面図である。
【符号の説明】
１…リーダ、２…作業装置、３…ガイドパイプ、４…ガイドローラ、５…ガイドローラ支持フレーム、６…ガイドローラ取付フレーム、７…ボルト、１０…ブラケット、１０ａ…ボルト挿通孔、１１…ナット、１２…カラー、１４…パイプ部材
【図１】
0004205813.tif 000002
【図２】
0004205813.tif 000003
【図３】
0004205813.tif 000004
【図４】
0004205813.tif 000005
【図５】
0004205813.tif 000006